(57)【特許請求の範囲】
【請求項１】
電柱に巻回してボルトとこれに螺合したナットで締付けるバンド体の構成片に、支持線の係止端部の挿通間隙を存して電柱面より突出する支持線受止め部を設け、該支持線受止め部は、前記構成片の一部を電柱周方向に沿う中央を電柱面方向に凹入させた断面Ｕ字形の割シンブル状とした、支持線端部の電柱係止用バンド。
【発明の詳細な説明】
【技術分野】
【０００１】
本発明は、ケーブルを電柱に引き留める際、該ケーブルを支持する支持線や電柱の支線端部を、電柱に係止するために用いる、支持線端部の電柱係止用バンドに関するものである。
【背景技術】
【０００２】
断面コ形の金具本体の外面に一対の防傾材を並設して引留め金具を構成し、該引留め金具を前記防傾材を電柱面に当接してバンド片によって電柱に締付けると共に、前記金具本体の上下の横部片に支軸によって回動自在に枢着したシンブルに支持線の端部を係止するようにした構造のものがある（例えば、特許文献１）。
【０００３】
【特許文献１】特開２００３−４７１４３号公報
【発明の開示】
【発明が解決しようとする課題】
【０００４】
前記従来構造のものは、シンブルを用いることにより係止方向（ケーブルの引留め方向）を自在に選択でき、適用範囲が広いという利点がある反面、シンブルを用いることにより構造が複雑になり、部品点数が多くなることから、重量や製作コストが嵩み、これらの低減が望まれている。
【０００５】
本発明は、この期待に対応するために創案したものである。すなわち、従来例と較べ、部品点数を少なくして、重量や製作コストの低減を図ることのできる、支持線端部の電柱係止用バンドを提供することを目的として創案したものである。
【課題を解決するための手段】
【０００６】
電柱に巻回してボルトとこれに螺合したナットで締付けるバンド体の構成片に、支持線の係止端部の挿通間隙を存して電柱面より突出する支持線受止め部を設け、該支持線受止め部は、前記構成片の一部を電柱周方向に沿う中央を電柱面方向に凹入させた断面Ｕ字形の割シンブル状とした構成としたものである。
【発明の効果】
【０００７】
本発明によれば、少なくも別部材としてのシンブルを用いないから、部品点数が少なく、従って、製作コストを低減できる、支持線端部の電柱用係止バンドを提供できる。
【０００８】
また、シンブルを用いる場合、殊に２条引きの場合は、その支軸を縦軸とせざるを得ず、縦軸に枢支させたシンブルに斜め方向の張力を付与するのは形態的に困難であるが、本発明によれば、斜め方向の張力にも対処でき、従って、傾斜地におけるケーブル引留めにも不都合なく用いることのできるものである。
【実施例】
【０００９】
図面は本発明に係る支持線端部の電柱係止用バンドの実施例を示し、図１は第一実施例の一部欠截平面図、図２は第一実施例の一部欠截正面図、図３は第二実施例の一部欠截平面図、図４は第二実施例の一部欠截正面図、図５は第三実施例の平面図、図６は第三実施例の正面図である。
【００１０】
実施例の支持線端部の電柱係止用バンドＡａ，Ａｂ，Ａｃは、中央バンド片１と一対の側バンド片２，２を、中央バンド片１の側端部と側バンド片２の先端部とを接続ボルト３とこれに螺合した接続ナット４で接続してバンド体と成し、該バンド体を電柱Ｄに巻回して組合わせ、互いに相対向する側バンド片２の基端側の緊締受部片２ａ，２ａにわたした緊締ボルト５の先端に緊締ナット６を螺合して電柱に締付けて用いるものである。
【００１１】
そして、中央バンド片１に、電柱Ｄとの間で支持線端部の挿通間隙ａを存して電柱面Ｄ´より突出する支持線受止め部７を、中央バンド片１を屈曲変形して設け、該支持線受止め部７は、前記中央バンド片１の一部を、電柱周側方向に沿う中央を電柱方向に凹入させるようにして形成した断面Ｕ字形（湾曲状）の割シンブル状とし、該受止め部７に支持線端部を受止させて、支持線を電柱にバンドＡａ，Ａｂ，Ａｃを介して係止するようにしたものである。
【００１２】
なお、実施例は、支持線８の末端に巻付けグリップ８ａ（例えば、特開平８−２６５９４１公報に記載の構造のもの）を取り付け、この巻付けグリップ８ａを介して支持線端部を前記受止め部７に係止するようにしているが、請求項でいう支持線の係止端部は、この巻付けグリップ部分を含み、要するに、支持線受止め部７に支持線を直接又は間接的に挿通間隙ａを通じて掛（係）止させるものとして支持線端部に備えた部分をいう。
【００１３】
また、中央バンド片１の側端部側と側バンド片２の先端部側に、各片の長手方向に沿わせて透孔９を列設してあり、各片１，２の適宜の互いに一致させた透孔９，９を利用して接続ボルト３と接続ナット４で両片１，２を接続することにより、電柱Ｄ径に対応した状態のバンドＡａ，Ａｂ，Ａｃを得ることができる。
【第一実施例】
【００１４】
図１および図２で示す第一実施例は、中央バンド片１の中央に、単一な前記支持線受止め部７を設け、該受止め部７に巻付けグリップで構成した、請求項でいう支持線端部を掛止して用いるようにした、所謂１条引き用のバンドＡａを示すものである。
【００１５】
支持線受止め部７は中央バンド片１の中央以外の部分に設けても、必ずしも不都合のあるものではないが、中央に設けることにより、支持線８の牽引荷重を電柱の中心線上に位置する支持線受止め部７で受けることになるから、耐荷重性が良好となる。
【第二実施例】
【００１６】
図３および図４で示す第二実施例は、ケーブルすなわち支持線２条引き用としての実施例を示し、中央バンド片１を平板状の中央部１ａと左右の側部１ｂ，１ｂの接続部に支線受止め部７を設けた、所謂左右対称形体で構成し、該中央バンド片１を、側部片１ｂにおいて側バンド片２と接続してバンドＡｂとしたものである。
【００１７】
この実施例は、支持線８すなわちケーブルを横方向に平行させて用いることにより、支持線８，８の牽引荷重が電柱Ｄに対し左右均等に負荷されるので、支持線の安定した引留め状態を得られる。
【００１８】
なお、中央バンド片１に、該中央バンド片１の長手方向に長い長孔１０を設けてあるのは、中央バンド片１をバンドＡｂの一部（構成片）として電柱Ｄに巻き付けるに際し、中央バンド片１が変形して電柱Ｄ周側面に適合し易くするためである。
【第三実施例】
【００１９】
第三実施例は、第二実施例と同様に支持線の２条引き用としたもので、第二実施例と同様に中央バンド片１と側バンド片２，２とを接続ボルト３と接続ナット４を用いて接続して構成し、中央バンド片１は、互いに略対称形を成す一対の中央バンド片構成片１Ａ，１Ａを、該構成片１Ａ，１Ａを成す先部片１Ａ´において、開閉自在に互いに蝶着して成るものである。
【００２０】
中央バンド片構成片１Ａは、互いに略直行する方向に配した前記先部片１Ａ´と、第二実施例の側部片１ｂと略同形の側部片１Ａ´´を接続して成り、両部片１Ａ´，１Ａ´´の接続部に支持線受止め部７を設けたもので、この中央バンド片構成片１Ａの前記先部片１Ａ´の、自由端側先端には該先端に設けた突片を屈曲して接続筒１１を設けて重ね合わせ、該接続筒１１，１１にピン１２を嵌挿して、中央バンド片構成片１Ａ，１Ａを互いに蝶着して中央バンド片１としたものである。
【００２１】
この実施例は、中央バンド片１に側バンド片２，２を組付けた状態で電柱Ｄに組付ける際、中央バンド片１の中央において、すなわち、ピン１２を軸として左右の一側と他の一側を拡開できるから、径の大きい電柱Ｄに対してのバンドＡｃの組合わせ（付け）を比較的楽に行うことができる。
【００２２】
因みに、第二実施例の中央バンド片１には長孔１０を設けてあるが、第二実施例の場合は、この長孔１０の存在によって中央バンド片１が変形し易くなり、該変形し易さを利用して径の異なる電柱Ｄに対する組合わせ（付け）を比較的楽に行うことができる。
【図面の簡単な説明】
【００２３】
【図１】第一実施例の一部欠截平面図。
【図２】第一実施例の一部欠截正面図。
【図３】第二実施例の一部欠截平面図。
【図４】第二実施例の一部欠截正面図。
【図５】第三実施例の平面図。
【図６】第三実施例の正面図。
【符号の説明】
【００２４】
Ａａ，Ａｂ，Ａｃ      バンド
ａ                    間隙
Ｄ                    電柱
Ｄ´                  電柱面
５                    ボルト
６                    ナット
７                    受止め部
８                    支持線
【図１】
0005102055.tif 000002
【図２】
0005102055.tif 000003
【図３】
0005102055.tif 000004
【図４】
0005102055.tif 000005
【図５】
0005102055.tif 000006
【図６】
0005102055.tif 000007